(57)【要約】【課題】ラス網の各隅部におけるラス網相互の重なり量を少なくしてモルタルの塗り込みを容易とし且つモルタル面におけるひび割れが発生するのを防止する。【解決手段】矩形をなし、かつ、四辺に沿った縁部を重ね合わせるようにラス張り用の下地板に張り込まれるラス網Ａであって、他のラス網Ａと重ね合わされる一定幅の縦向き縁面部Ａａと、一定幅の横向き縁面部Ａｂとが交差する四つの矩形交差面部Ａｃのうちの二つの矩形交差面部Ａｃをカットし、当該矩形交差面部の二個分を一カ所でカットし、また、これらの各対角線の外側をカットして構成する。【選択図】図２
2007182677.tif 000002
【特許請求の範囲】
【請求項１】
矩形をなし、かつ、四辺に沿った縁部を重ね合わせるようにラス張り用の下地板に張り込まれるラス網であって、
他のラス網と重ね合わされる一定幅の縦向き縁面部と、一定幅の横向き縁面部とが交差する四つの矩形交差面部のうちの二つの矩形交差面部がカットしてあることを特徴とするラス網。
【請求項２】
矩形をなし、かつ、四辺に沿った縁部を重ね合わせるようにラス張り用の下地板に張り込まれるラス網であって、
他のラス網と重ね合わされる一定幅の縦向き縁面部と、一定幅の横向き縁面部とが交差する四つの矩形交差面部のうちの二つの矩形交差面部が当該矩形交差面部の対角線位置で該矩形交差面部の隅側にある直角三角形面部をカットしてあることを特徴とするラス網。
【請求項３】
矩形をなし、かつ、四辺に沿った縁部を重ね合わせるようにラス張り用の下地板に張り込まれるラス網であって、
他のラス網と重ね合わされる一定幅の縦向き縁面部と、一定幅の横向き縁面部とが交差する四つの矩形交差面部のうちの一つの矩形交差面部と、一つの辺に沿って当該矩形交差面部と同一広さの矩形面部とが一連に連続されてなる長寸縁面部をカットしてあることを特徴とするラス網。
【請求項４】
矩形をなし、かつ、四辺に沿った縁部を重ね合わせるようにラス張り用の下地板に張り込まれるラス網であって、
他のラス網と重ね合わされる一定幅の縦向き縁面部と、一定幅の横向き縁面部とが交差する四つの矩形交差面部のうちの一つの矩形交差面部と、一つの辺に沿って当該矩形交差面部と同一広さの矩形面部とが一連に連続されてなる長寸縁面部が、当該長寸縁面部の対角線位置で該長寸縁面部の隅側にある直角三角形面部をカットしてあることを特徴とするラス網。
【発明の詳細な説明】
【技術分野】
【０００１】
この発明は、ラス張り下地を構成するラス網の改良に関するものであって、下地板に張り込まれるラス網を順次に縁部を重ね合わせ状態に張り込む際に、当該縁部の重なりを効果的に少なくし得るようにしたラス網の提供に関する。
【背景技術】
【０００２】
一般に木造住宅等における外壁のモルタル仕上げ等に際して、小幅板等からなるラス張り用の下地板にアスファルトフェルトを張り込み、このアスファルトフェルト上にラス網をステープルで止め付けて壁下地を構成するようにしていた。
【０００３】
かかる外壁のモルタル仕上げには種々の工夫が試みられており、例えば、通気層を持つモルタル壁構造において、通気層の厚みを確保し、モルタル厚を均一にし、さらにモルタル壁施工の作業性を向上させる目的で、モルタルの下地材は、モルタルの足がかりとなるラスと、防水シートと、一定の厚みを確保しかつ垂直の空気通路を形成するように屈曲した屈曲シートを持つ通気層形成部村とを一
体化して構成し、ラスにはメタルラスや溶接金網等を用い、通気層形成部材には例えばダンボール紙等を用い、断熱材層の上に下地材を取り付け，モルタル塗りを施すようにした建築物のモルタル壁構造が提案されている。
【特許文献１】特開平１１−２８７０２５
【発明の開示】
【発明が解決しようとする課題】
【０００４】
しかしながら、ラス網を下地板に対して隙間なく張り込む際に、各張り込みラス網の周縁部を互いに重ね合わせの状態にしてステープルで順次に止め付けることに伴う不具合、特に、この周縁部を互いに重ね合わせて張り込まれるラス網の重なり部分によってもたらされる不具合を解消するラス網の提案は見あたらなかった。
【０００５】
かかるラス張り用の下地板に対するラス網の張り込みは、例えば、互いに隣り合うラス網相互の重なり縁が直線状をなすように張り込まれる場合、各ラス網の隅部が４枚重ねの状態とされ、また、張り込まれるラス網を千鳥に張り込んだラス網の隅部が３枚重ねの状態とされることとなり、この隅部におけるラス網の４枚重ね部分や、隅部におけるラス網の３枚重ね部分における重ね処理が難しく、また、この重ね部分に対するモルタルの塗り仕上げが難しく、塗り込まれたモルタル仕上げ面に亀裂を生ずる等の不具合があった。
【０００６】
この発明に係るラス網は、かかる従前におけるラス網における不具合を解消し、容易に張り込み得ると共にモルタルの塗り込みが容易で、しかも、仕上げられたモルタル面にひび割れ等を生ずることのないラス網の提供を目的としている。
【課題を解決するための手段】
【０００７】
前記課題を解決するために、第１の発明にあっては、矩形をなし、かつ、四辺に沿った縁部を重ね合わせるようにラス張り用の下地板に張り込まれるラス網であって、
他のラス網と重ね合わされる一定幅の縦向き縁面部と、一定幅の横向き縁面部とが交差する四つの矩形交差面部のうちの二つの矩形交差面部がカットしてあることを特徴とするラス網としてある。
【０００８】
また、前記課題を解決するために、第２の発明にあっては、矩形をなし、かつ、四辺に沿った縁部を重ね合わせるようにラス張り用の下地板に張り込まれるラス網であって、
他のラス網と重ね合わされる一定幅の縦向き縁面部と、一定幅の横向き縁面部とが交差する四つの矩形交差面部のうちの二つの矩形交差面部が当該矩形交差面部の対角線位置で該矩形交差面部の隅側にある直角三角形面部をカットしてあることを特徴とするラス網としてある。
【０００９】
また、前記課題を解決するために第３の発明にあっては、矩形をなし、かつ、四辺に沿った縁部を重ね合わせるようにラス張り用の下地板に張り込まれるラス網であって、
他のラス網と重ね合わされる一定幅の縦向き縁面部と、一定幅の横向き縁面部とが交差する四つの矩形交差面部のうちの一つの矩形交差面部と、一つの辺に沿って当該矩形交差面部と同一広さの矩形面部とが一連に連続されてなる長寸縁面部をカットしてあることを特徴とするラス網としてある。
【００１０】
また、前記課題を解決するために第４の発明にあっては、矩形をなし、かつ、四辺に沿った縁部を重ね合わせるようにラス張り用の下地板に張り込まれるラス網であって、
他のラス網と重ね合わされる一定幅の縦向き縁面部と、一定幅の横向き縁面部とが交差する四つの矩形交差面部のうちの一つの矩形交差面部と、一つの辺に沿って当該矩形交差面部と同一広さの矩形面部とが一連に連続されてなる長寸縁面部が、当該長寸縁面部の対角線位置で該長寸縁面部の隅側にある直角三角形面部をカットしてあることを特徴とするラス網としてある。
【００１１】
このように構成されるラス網にあっては、小幅板等の下地材に当該ラス網を順次張り込んだ際に、この張り込まれた各ラス網における重ね合わせ縁部、特にラス網の隅部におけるラス網の重なり厚を少なくすることができる。
【発明の効果】
【００１２】
この発明に係るラス網は、矩形をなすラス網において、四辺に沿った縁部を重ね合わせるように当該ラス網を下地板に張り込んだ際に、このラス網における重ね合わせ縁部、特に、ラス網の各隅部におけるラス網相互の重なり量を少なくして、このラス網の張り込まれたラス下地に対するモルタルの塗り込みを容易とし、また、当該ラス下地に塗り込まれたモルタル面におけるひび割れの発生を効果的に防止する。
【発明を実施するための最良の形態】
【００１３】
以下、この発明を実施するための最良の形態に係るラス網Ａについて説明する。
【００１４】
ここで下地材に張り込み用いられるラス網Ａは、モルタル塗り下地として張り込まれるラス網Ａであって、一般的には、下地材、より具体的には、小幅板を所定間隔で所定の隙間を空けて、柱、間柱等に突付け継ぎとして、ラス張り用の下地板を構成し、この下地板上に、アスファルトフィルトを継ぎ目９０ｍｍ以上を重ねるように張って止め付けると共に、このアスファルトフィルト上に当該ラス網Ａとしてのワイヤラスを互いの縁部を重ねあわせるように張り込みステープル等で止め付ける。また、特に、軒裏ではラス網Ａとしての、メタルラスを用いて同様に張り込みステープル等で止め付けてモルタル塗り下地を構成する。なお、当該ラス網以外の部分については、当該ラス網を張り込むために備えられる一般的な下地構成であるので図示を省略する。また、当該ラス網を張り込まれて構成されるラス張り下地を用いて公知のモルタルの塗り込み処理が施される。
【００１５】
なお、ここで図１〜図１５は当該第１の発明を実施するための最良の形態に係るラス網Ａを示しており、図１〜図５は、その典型的なラス網Ａを、図６〜図１０は、その典型的な他のラス網Ａを、図１１〜図１５は、その典型的な更に他のラス網Ａを示している。
【００１６】
図１６〜図２４は当該第２の発明を実施するための最良の形態に係るラス網Ａを示しており、図１６〜図１８は、その典型的なラス網Ａを、図１９〜図２１は、その典型的な他のラス網Ａを、図２２〜図２４は、その典型的な更に他のラス網Ａを示している。
【００１７】
図２５〜図２７は当該第３の発明を実施するための最良の形態に係る典型的なラス網Ａを示している。
【００１８】
図２８〜図３０は当該第４の発明を実施するための最良の形態に係る典型的なラス網Ａを示している。
【００１９】
まず、図１〜図１５に示される第１の発明を実施するための最良の形態に係る各ラス網Ａについて説明する。
【００２０】
この第１の発明を実施するための最良の形態に係るラス網Ａは、矩形をなし、かつ、四辺に沿った縁部を重ね合わせるようにラス張り用の下地板に張り込まれるラス網Ａであって、他のラス網Ａと重ね合わされる一定幅の縦向き縁面部Ａａと、一定幅の横向き縁面部Ａｂとが交差する四つの矩形交差面部Ａｃのうちの二つの矩形交差面部Ａｃがカットされた構成としてある。
【００２１】
かかるラス網Ａは、矩形、所謂直角四辺形状に構成用意されている任意複数枚のラス網Ａを、その周辺に沿った縁部を互いに重ね合わせるようにして、順次に前記手法で下地材に張り込んで、ラス張り下地を構成するものであって、この下地材に対する張り込みに際して、四辺に沿った縁部（ここで云うところの縦向き縁面部Ａａ及び横向き縁面部Ａｂ）を所定の重なり幅をもたせた状態で重ね合わせるようにしてラス張り用の下地板に張り込み用いるようにしてある。
【００２２】
そして、このラス網Ａにおいては、かかる下地板に対する張り込みに際して、ラス網Ａの隅部相互の重なりが極力嵩張らないように、このラス網Ａにおいて他のラス網Ａとの重ね合わせに用いられる一定幅の縦向き縁面部Ａａと、一定幅の横向き縁面部Ａｂとが交差する当該ラス網Ａの四隅部にそれぞれ構成される四つの矩形交差面部Ａｃのうちの二つの矩形交差面部Ａｃをカットして構成してある。
【００２３】
かかる第１の発明を実施するための最良の形態に係るラス網Ａは、当該ラス網Ａの両側に備えられる縦向き縁面部Ａａと、当該ラス網Ａの上下に備えられる横向き縁面部Ａｂとが交差して得られる面部、すなわち、ラス網Ａの四つの隅部において矩形交差面部Ａｃとして構成される四つの矩形交差面部Ａｃのうちのカットされる二つの矩形交差面部Ａｃの選択によって以下の各態様のラス網Ａが構成される。
【００２４】
（図１〜図５に示されるラス網）
まず、図１〜図５において示されるラス網Ａは、矩形をなし、かつ、四辺に沿った縁部を重ね合わせるようにラス張り用の下地板に張り込まれるラス網Ａであって、他のラス網Ａと重ね合わされる一定幅の縦向き縁面部Ａａと、一定幅の横向き縁面部Ａｂとが交差する四つの矩形交差面部Ａｃのうちの対角線位置にある二つの矩形交差面部Ａｃがカットされた構成としてある。
【００２５】
かかるラス網Ａは、ラス網Ａにおける２本の対角線のうちの、任意に選択されるいずれか一方の対角線位置にある二つの矩形交差面部Ａｃをカットすることによって構成される。この第１のラス網Ａは、従って、選択される対角線によって二態様のラス網Ａとして構成用意することができる。
【００２６】
かかるラス網Ａにあっては、張り込まれる各ラス網Ａにおけるそれぞれに重なり合う縦向き縁面部Ａａと横向き縁面部Ａｂとを図２に示すように互いに重ね合わせることによって、互いに重ねあわされる四枚のラス網Ａの中心部は、二つの矩形交差面部Ａｃと、二つのカットされた矩形交差面欠部Ａｘとで構成されることとなり、当該矩形交差面部Ａｃにおける重なりが二枚とされ、この状態で図３のようなラス網Ａの張り込みをなすことができる。
【００２７】
また、縦向き縁面部Ａａ及び横向き縁面部Ａｂの重ね合わせにおいて、横方向または縦方向にラス網Ａをずらせて張り込むことが可能である。例えば、図４に示されるように各縦向き縁面部Ａａを重ね合わせて横方向に張り込んである下段の各ラス網Ａに対して上段の各ラス網Ａを横方向にずらせた状態で、互いに向き合う縦向き縁面部Ａａを重ね合わせ状態にして、その横向き縁面部Ａｂを下段の各ラス網Ａにおける横向き縁面部Ａｂに重ね合わせ状態に張り込むことができ、この場合、三枚のラス網Ａが重なる部分は、一つの矩形交差面部Ａｃと、カットされた一つの矩形交差面欠部Ａｘと、一つの横向き縁面部Ａｂとによって、その重なりが二枚とされ、図５におけるような張り込みをなすことができる。
【００２８】
（図６〜図１０に示されるラス網Ａ）
ついで、図６〜図１０に示されるラス網Ａは、矩形をなし、かつ、四辺に沿った縁部を重ね合わせるようにラス張り用の下地板に張り込まれるラス網Ａであって、他のラス網Ａと重ね合わされる一定幅の縦向き縁面部Ａａと、一定幅の横向き縁面部Ａｂとが交差する四つの矩形交差面部Ａｃのうちの上縁の両側端位置にある二つの矩形交差面部Ａｃがカットされた構成のラス網Ａと、
矩形をなし、かつ、四辺に沿った縁部を重ね合わせるようにラス張り用の下地板に張り込まれるラス網Ａであって、他のラス網Ａと重ね合わされる一定幅の縦向き縁面部Ａａと、一定幅の横向き縁面部Ａｂとが交差する四つの矩形交差面部Ａｃのうちの下縁の両側端位置にある二つの矩形交差面部Ａｃがカットされた構成のラス網Ａとがある。
【００２９】
かかるラス網Ａにあっては、張り込まれる各ラス網Ａにおけるそれぞれに重なり合う縦向き縁面部Ａａと横向き縁面部Ａｂとを図７に示すように互いに重ね合わせることによって、互いに重ねあわされる四枚のラス網Ａの中心部は、二つの矩形交差面部Ａｃと、二つのカットされた矩形交差面欠部Ａｘとで構成されることとなり、当該矩形交差面部Ａｃにおける重なりが二枚とされ、この状態で図８のようなラス網Ａの張り込みをなすことができる。
【００３０】
また、縦向き縁面部Ａａ及び横向き縁面部Ａｂの重ね合わせにおいて、縦方向にラス網Ａをずらせて張り込むことが可能である。例えば、図９に示されるように各横向き縁面部Ａｂを重ね合わせて縦方向に張り込んである左側の各ラス網Ａに対して右側の各ラス網Ａを上方向にずらせた状態で、互いに向き合う横向き縁面部Ａｂを重ね合わせ状態にして、その縦向き縁面部Ａａを左側の各ラス網Ａにおける縦向き縁面部Ａａに重ね合わせ状態に張り込むことができ、この場合、三枚のラス網Ａが重なる部分は、一つの矩形交差面部Ａｃと、カットされた一つの矩形交差面欠部Ａｘと、一つの縦向き縁面部Ａａとによって、その重なりが二枚とされ、図１０におけるような張り込みをなすことができる。
【００３１】
（図１１〜図１５に示されるラス網Ａ）
ついで、図１１〜図１５に示されるラス網Ａは、矩形をなし、かつ、四辺に沿った縁部を重ね合わせるようにラス張り用の下地板に張り込まれるラス網Ａであって、他のラス網Ａと重ね合わされる一定幅の縦向き縁面部Ａａと、一定幅の横向き縁面部Ａｂとが交差する四つの矩形交差面部Ａｃのうちの右側縁の上下端位置にある二つの矩形交差面部Ａｃがカットされた構成のラス網Ａと、
矩形をなし、かつ、四辺に沿った縁部を重ね合わせるようにラス張り用の下地板に張り込まれるラス網Ａであって、他のラス網Ａと重ね合わされる一定幅の縦向き縁面部Ａａと、一定幅の横向き縁面部Ａｂとが交差する四つの矩形交差面部Ａｃのうちの左側縁の上下端位置にある二つの矩形交差面部Ａｃがカットされた構成のラス網Ａとがある。
【００３２】
かかるラス網Ａにあっては、張り込まれる各ラス網Ａにおけるそれぞれに重なり合う縦向き縁面部Ａａと横向き縁面部Ａｂとを図１２に示すように互いに重ね合わせることによって、互いに重ねあわされる四枚のラス網Ａの中心部は、二つの矩形交差面部Ａｃと、二つのカットされた矩形交差面欠部Ａｘとで構成されることとなり、当該矩形交差面部Ａｃにおける重なりが二枚とされ、この状態で図１３のようなラス網Ａの張り込みをなすことができる。
【００３３】
また、縦向き縁面部Ａａ及び横向き縁面部Ａｂの重ね合わせにおいて、横方向にラス網Ａをずらせて張り込むことが可能である。例えば、図１４に示されるように各縦向き縁面部Ａａを重ね合わせて横方向に張り込んである下段の各ラス網Ａに対して上段の各ラス網Ａを横方向にずらせた状態で、互いに向き合う縦向き縁面部Ａａを重ね合わせ状態にして、その横向き縁面部Ａｂを下段の各ラス網Ａにおける横向き縁面部Ａｂに重ね合わせ状態に張り込むことができ、この場合、三枚のラス網Ａが重なる部分は、一つの矩形交差面部Ａｃと、カットされた一つの矩形交差面欠部Ａｘと、一つの横向き縁面部Ａｂとによって、その重なりが二枚とされ、図１５におけるような張り込みをなすことができる。
【００３４】
ついで図１６〜図２４に示される第２の発明を実施するための最良の形態に係るラス網Ａについて説明する。
【００３５】
この第２の発明を実施するための最良の形態に係るラス網Ａは、矩形をなし、かつ、四辺に沿った縁部を重ね合わせるようにラス張り用の下地板に張り込まれるラス網Ａであって、
他のラス網Ａと重ね合わされる一定幅の縦向き縁面部Ａａと、一定幅の横向き縁面部Ａｂとが交差する四つの矩形交差面部Ａｃのうちの二つの矩形交差面部Ａｃが当該矩形交差面部Ａｃの対角線位置で該矩形交差面部Ａｃの隅側にある直角三角形面部Ａｃ”をカットした構成としてある。
【００３６】
かかるラス網Ａは、矩形、所謂直角四辺形状に構成用意されている任意複数枚のラス網Ａを、その周辺に沿った縁部を互いに重ね合わせるようにして、順次に前記手法で下地材に張り込んで、ラス張り下地を構成するものであって、この下地材に対する張り込みに際して、四辺に沿った縁部（ここで云うところの縦向き縁面部Ａａ及び横向き縁面部Ａｂ）を所定の重なり幅をもたせた状態で重ね合わせるようにしてラス張り用の下地板に張り込み用いるようにしてある。
【００３７】
そして、このラス網Ａにおいては、かかる下地板に対する張り込みに際して、ラス網Ａの隅部相互の重なりが極力嵩張らないように、このラス網Ａにおいて他のラス網Ａとの重ね合わせに用いられる一定幅の縦向き縁面部Ａａと、一定幅の横向き縁面部Ａｂとが交差する当該ラス網Ａの四隅部にそれぞれ構成される四つの矩形交差面部Ａｃのうちの二つの矩形交差面部Ａｃを当該矩形交差面部Ａｃの対角線位置で該矩形交差面部Ａｃの隅側にある直角三角形面部Ａｃ”をカットし、このカット縁を斜辺とする直角三角形面部Ａｃ’を残すように構成してある。
【００３８】
かかる第２の発明を実施するための最良の形態に係るラス網Ａは、当該ラス網Ａの両側に備えられる縦向き縁面部Ａａと、当該ラス網Ａの上下に備えられる横向き縁面部Ａｂとが交差して得られる面部、すなわち、ラス網Ａの四つの隅部にそれぞれ構成される四つの矩形交差面部Ａｃのうちから選択されて、対角線位置で隅側にある直角三角形面部Ａｃ”をカットされる二つの矩形交差面部Ａｃの選択の態様によって、以下の各態様のラス網Ａが構成される。
【００３９】
（図１６〜図１８に示されるラス網Ａ）
まず、図１６〜図１８において示されるラス網Ａは、矩形をなし、かつ、四辺に沿った縁部を重ね合わせるようにラス張り用の下地板に張り込まれるラス網Ａであって、他のラス網Ａと重ね合わされる一定幅の縦向き縁面部Ａａと、一定幅の横向き縁面部Ａｂとが交差する四つの矩形交差面部Ａｃのうちの対角線位置にある二つの矩形交差面部Ａｃを当該矩形交差面部Ａｃの対角線位置で該矩形交差面部Ａｃの隅側にある直角三角形面部Ａｃ”をカットし、このカット縁を斜辺とする直角三角形面部Ａｃ’とし、この直角三角形面部Ａｃ’における当該カット縁を斜辺とする直角三角形面欠部Ａｘ’を設けるようにしてある。
【００４０】
かかるラス網Ａは、ラス網Ａにおける２本の対角線のうちの、任意に選択されるいずれか一方の対角線位置にある二つの矩形交差面部Ａｃを当該矩形交差面部Ａｃの対角線位置で該矩形交差面部Ａｃの隅側にある直角三角形面部Ａｃ”をカットすることによって構成される。かかるラス網Ａは、従って、選択される対角線によって二態様のラス網Ａとして構成用意することができる。
【００４１】
かかるラス網Ａにあっては、張り込まれる各ラス網Ａにおけるそれぞれに重なり合う縦向き縁面部Ａａと横向き縁面部Ａｂとを順次に重ね合わせて用いる際に、縦方向または横方向に張り込みラス網Ａをずらせて張り込むことができる。図１７では、かかるラス網Ａの張り込みの一態様を示しており、各縦向き縁面部Ａａを重ね合わせて横方向に張り込んである下段の各ラス網Ａに対して上段の各ラス網Ａを横方向にずらせた状態で、互いに向き合う縦向き縁面部Ａａを重ね合わせ状態にして、その横向き縁面部Ａｂを下段の各ラス網Ａにおける横向き縁面部Ａｂに重ね合わせ状態に張り込むことができ、この場合、三枚のラス網Ａが重なる部分は、一つの矩形交差面部Ａｃと、カットされた一つの直角三角形面欠部Ａｘ’と、一つの横向き縁面部Ａｂとによって、その重なり部の嵩張りが減じられ、例えば、図１８におけるような張り込みをなすことができる。
【００４２】
（図１９〜図２１に示されるラス網Ａ）
ついで、図１９〜図２１において示されるラス網Ａは、矩形をなし、かつ、四辺に沿った縁部を重ね合わせるようにラス張り用の下地板に張り込まれるラス網Ａであって、他のラス網Ａと重ね合わされる一定幅の縦向き縁面部Ａａと、一定幅の横向き縁面部Ａｂとが交差する四つの矩形交差面部Ａｃのうちの上縁の両側端位置にある二つの矩形交差面部Ａｃが当該矩形交差面部Ａｃの対角線位置で該矩形交差面部Ａｃの隅側にある直角三角形面部Ａｃ”をカットされた構成のラス網Ａと、
矩形をなし、かつ、四辺に沿った縁部を重ね合わせるようにラス張り用の下地板に張り込まれるラス網Ａであって、他のラス網Ａと重ね合わされる一定幅の縦向き縁面部Ａａと、一定幅の横向き縁面部Ａｂとが交差する四つの矩形交差面部Ａｃのうちの下縁の両側端位置にある二つの矩形交差面部Ａｃが当該矩形交差面部Ａｃの対角線位置で該矩形交差面部Ａｃの隅側にある直角三角形面部Ａｃ”をカットされた構成のラス網Ａとがある。
【００４３】
かかるラス網Ａは、前記でカット対象とされた矩形交差面部Ａｃを、その隅側にある直角三角形面部Ａｃ”をカットし、このカット縁を斜辺とする直角三角形面部Ａｃ’とし、この直角三角形面部Ａｃ’における当該カット縁を斜辺とする直角三角形面欠部Ａｘ’を設けるようにしてある。
【００４４】
かかるラス網Ａにあっては、張り込まれる各ラス網Ａにおけるそれぞれに重なり合う縦向き縁面部Ａａと横向き縁面部Ａｂとを順次に重ね合わせて用いる際に、縦方向または横方向に張り込みラス網Ａをずらせて張り込むことができる。図２０では、かかるラス網Ａの張り込みの一態様を示しており、各横向き縁面部Ａｂを重ね合わせて縦方向に張り込んである左側の各ラス網Ａに対して右側の各ラス網Ａを上下方向にずらせた状態で互いに向き合う横向き縁面部Ａｂを重ね合わせ状態にして、その縦向き縁面部Ａａを左側の各ラス網Ａにおける縦向き縁面部Ａａに重ね合わせ状態に張り込むことができ、この場合、三枚のラス網Ａが重なる部分は、一つの矩形交差面部Ａｃと、カットされた一つの直角三角形面欠部Ａｘ’と、一つの横向き縁面部Ａｂとによって、その重なり部の嵩張りが減じられ、例えば、図２１におけるような張り込みをなすことができる。
【００４５】
（図２２〜図２４に示されるラス網Ａ）
ついで、図２２〜図２４において示されるラス網Ａは、矩形をなし、かつ、四辺に沿った縁部を重ね合わせるようにラス張り用の下地板に張り込まれるラス網Ａであって、他のラス網Ａと重ね合わされる一定幅の縦向き縁面部Ａａと、一定幅の横向き縁面部Ａｂとが交差する四つの矩形交差面部Ａｃのうちの右側縁の上下端位置にある二つの矩形交差面部Ａｃが当該矩形交差面部Ａｃの対角線位置で該矩形交差面部Ａｃの隅側にある直角三角形面部Ａｃ”をカットされた構成のラス網Ａと、
矩形をなし、かつ、四辺に沿った縁部を重ね合わせるようにラス張り用の下地板に張り込まれるラス網Ａであって、他のラス網Ａと重ね合わされる一定幅の縦向き縁面部Ａａと、一定幅の横向き縁面部Ａｂとが交差する四つの矩形交差面部Ａｃのうちの左側縁の上下端位置にある二つの矩形交差面部Ａｃが当該矩形交差面部Ａｃの対角線位置で該矩形交差面部Ａｃの隅側にある直角三角形面部Ａｃ”をカットされた構成のラス網Ａとがある。
【００４６】
かかるラス網Ａは、前記でカット対象とされた矩形交差面部Ａｃを、その隅側にある直角三角形面部Ａｃ”をカットし、このカット縁を斜辺とする直角三角形面部Ａｃ’とし、この直角三角形面部Ａｃ’における当該カット縁を斜辺とする直角三角形面欠部Ａｘ’を設けるようにしてある。
【００４７】
かかるラス網Ａにあっては、張り込まれる各ラス網Ａにおけるそれぞれに重なり合う縦向き縁面部Ａａと横向き縁面部Ａｂとを順次に重ね合わせて用いる際に、縦方向または横方向に張り込みラス網Ａをずらせて張り込むことができる。図２３では、かかるラス網Ａの張り込みの一態様を示しており、各縦向き縁面部Ａａを重ね合わせて横方向に張り込んである下段の各ラス網Ａに対して上段の各ラス網Ａを横方向にずらせた状態で互いに向き合う縦向き縁面部Ａａを重ね合わせ状態にして、その横向き縁面部Ａｂを下段の各ラス網Ａにおける横向き縁面部Ａｂに重ね合わせ状態に張り込むことができ、この場合、三枚のラス網Ａが重なる部分は、一つの矩形交差面部Ａｃと、カットされた一つの直角三角形面欠部Ａｘ’と、一つの横向き縁面部Ａｂとによって、その重なり部の嵩張りが減じられ、例えば、図２４におけるような張り込みをなすことができる。
【００４８】
ついで図２５〜図２７に示される第３の発明を実施するための最良の形態に係るラス網Ａについて説明する。
【００４９】
この第３の発明を実施するための最良の形態に係るラス網Ａは、矩形をなし、かつ、四辺に沿った縁部を重ね合わせるようにラス張り用の下地板に張り込まれるラス網Ａであって、
他のラス網Ａと重ね合わされる一定幅の縦向き縁面部Ａａと、一定幅の横向き縁面部Ａｂとが交差する四つの矩形交差面部Ａｃのうちの一つの矩形交差面部Ａｃと、一つの辺に沿って当該矩形交差面部Ａｃと同一広さの矩形面部Ａｄとが一連に連続されてなる長寸縁面部をカットした構成としてある。
【００５０】
かかるラス網Ａは、矩形、所謂直角四辺形状に構成用意されている任意複数枚のラス網Ａを、その周辺に沿った縁部を互いに重ね合わせるようにして、順次に前記手法で下地材に張り込んで、ラス張り下地を構成するものであって、この下地材に対する張り込みに際して、四辺に沿った縁部（ここで云うところの縦向き縁面部Ａａ及び横向き縁面部Ａｂ）を所定の重なり幅をもたせた状態で重ね合わせるようにしてラス張り用の下地板に張り込み用いるようにしてある。
【００５１】
そして、このラス網Ａにおいては、かかる下地板に対する張り込みに際して、ラス網Ａの隅部相互の重なりが極力嵩張らないように、このラス網Ａにおいて他のラス網Ａとの重ね合わせに用いられる一定幅の縦向き縁面部Ａａと、一定幅の横向き縁面部Ａｂとが交差する当該ラス網Ａの四隅部にそれぞれ構成される四つの矩形交差面部Ａｃのうちの一つの矩形交差面部Ａｃと、一つの辺に沿って当該矩形交差面部Ａｃと同一広さの矩形面部Ａｄとが一連に連続されてなる長寸縁面部をカットして、当該ラス網Ａに長寸縁面欠部Ａｙを構成するようにしてある。
【００５２】
かかるラス網Ａは、四つの矩形交差面部Ａｃのうちの任意の一つの矩形交差面部Ａｃと、一つの辺に沿って当該矩形交差面部Ａｃと同一広さの矩形面部Ａｄとが一連に連続されてなる長寸縁面部がカットされた構成のラス網Ａであれば、四つの矩形交差面部Ａｃのいずれを長寸縁面欠部Ａｙに構成してあってもよい。
【００５３】
かかるラス網Ａにあっては、長寸縁面欠部Ａｙを備えるラス網Ａに対して、図２６に示されるように当該長寸縁面欠部Ａｙの長手側に重ね合わされる二枚のラス網相互の重ね合わせ縁部が当該長寸縁面欠部Ａｙの奥側、すなわち当該長寸縁面欠部Ａｙをカットされる矩形交差面部Ａｃと共に構成する前記矩形面部Ａｄのカット跡に、当該長寸縁面欠部Ａｙの長手側に沿うように重ね合わされる他の二枚のラス網Ａの矩形交差面部Ａｃを入れ込み、かつ、当該長寸縁面欠部Ａｙの短幅側に重ね合わされるラス網Ａの矩形交差面部Ａｃを前記矩形交差面部Ａｃのカット跡に位置づけるようにしてラス網Ａの張り込みをなすことができる。すなわち、この図示例にあっては、右側上部に横長の状態で長寸縁面欠部Ａｙを備えたラス網Ａの縦向き縁面部Ａａに右方から他のラス網Ａの縦向き縁面部Ａａを重ね合わせると共に、この下側に構成されるラス網Ａ相互の重ね合わせ縁面部に対して、互いに縦向き縁面部Ａａ相互を重ね合わせた上側のラス網Ａにおける当該重ね合わせ部分が、長寸縁面欠部Ａｙを備えるラス網Ａの側に縦向き縁面部Ａａの幅相当ずらせて（この上側のラス網Ａ相互の重ね合わせ部分を前記矩形面部Ａｄのカット跡に位置づけるように）張り込むことによって、各ラス網Ａの重ね合わせ部分が二枚重ね状態でラス網Ａの張り込みをなすことができる。
【００５４】
ついで図２８〜図３０に示される第４の発明を実施するための最良の形態に係るラス網Ａについて説明する。
【００５５】
この第４の発明を実施するための最良の形態に係るラス網Ａは、矩形をなし、かつ、四辺に沿った縁部を重ね合わせるようにラス張り用の下地板に張り込まれるラス網Ａであって、
他のラス網Ａと重ね合わされる一定幅の縦向き縁面部Ａａと、一定幅の横向き縁面部Ａｂとが交差する四つの矩形交差面部Ａｃのうちの一つの矩形交差面部Ａｃ（Ａｅ、Ａｅ’）と、一つの辺に沿って当該矩形交差面部Ａｃ（Ａｅ、Ａｅ’）と同一広さの矩形面部（Ａｆ、Ａｆ’）とが一連に連続されてなる長寸縁面部を、当該長寸縁面部の対角線位置で該長寸縁面部の隅側にある直角三角形面部（Ａｆ’、Ａｅ’）をカットし、このカット縁を斜辺とする直角三角形面部（Ａｅ、Ａｆ）と、当該直角三角形面部（Ａｅ、Ａｆ）のカット縁を斜辺とする直角三角形面欠部Ａｙ’とを構成するようにしてある。
【００５６】
かかるラス網Ａは、矩形、所謂直角四辺形状に構成用意されている任意複数枚のラス網Ａを、その周辺に沿った縁部を互いに重ね合わせるようにして、順次に前記手法で下地材に張り込んで、ラス張り下地を構成するものであって、この下地材に対する張り込みに際して、四辺に沿った縁部（ここで云うところの縦向き縁面部Ａａ及び横向き縁面部Ａｂ）を所定の重なり幅をもたせた状態で重ね合わせるようにしてラス張り用の下地板に張り込み用いるようにしてある。
【００５７】
そして、このラス網Ａにおいては、かかる下地板に対する張り込みに際して、ラス網Ａの隅部相互の重なりが極力嵩張らないように、このラス網Ａにおいて他のラス網Ａとの重ね合わせに用いられる一定幅の縦向き縁面部Ａａと、一定幅の横向き縁面部Ａｂとが交差する当該ラス網Ａの四隅部にそれぞれ構成される四つの矩形交差面部Ａｃのうちの一つの矩形交差面部Ａｃ（Ａｅ、Ａｅ’）と、一つの辺に沿って当該矩形交差面部Ａｃ（Ａｅ、Ａｅ’）と同一広さの矩形面部Ａｆ、Ａｆ’とが一連に連続されてなる長寸縁面部を当該長寸縁面部の対角線位置で該長寸縁面部の隅側にある直角三角形面部Ａｆ’、Ａｅ’をカットして構成してある。
【００５８】
かかるラス網Ａは、四つの矩形交差面部Ａｃのうちの任意の一つの矩形交差面部Ａｃと、一つの辺に沿って当該矩形交差面部Ａｃと同一広さの矩形面部とが一連に連続されてなる長寸縁面部を当該長寸縁面部の対角線位置で該長寸縁面部の隅側にある直角三角形面部をカットした構成のラス網Ａであれば、四つの矩形交差面部Ａｃのいずれを直角三角形面欠部Ａｙ’に構成してあってもよい。
【００５９】
かかるラス網Ａにあっては、直角三角形面欠部Ａｙ’を備えるラス網Ａに対して、図２９に示されるように当該直角三角形面欠部Ａｙ’の長手側に重ね合わされる二枚のラス網Ａ相互の重ね合わせ縁面部が当該直角三角形面欠部Ａｙ’の奥側、すなわち当該直角三角形面欠部Ａｙ’を矩形交差面部Ａｅ’と共に構成する前記矩形面部Ａｆ’のカット跡に、当該直角三角形面欠部Ａｙ’の長手側に沿うように重ね合わされる他の二枚のラス網Ａの矩形交差面部Ａｃを入れ込み、かつ、当該直角三角形面欠部Ａｙ’の短幅側に重ね合わされるラス網Ａの矩形交差面部Ａｃを前記矩形交差面部Ａｅ’のカット跡に位置づけるようにしてラス網Ａの張り込みをなすことができる。すなわち、この図示例にあっては、右側上部に横長の状態で直角三角形面欠部Ａｙ’を備えたラス網Ａの縦向き縁面部Ａａに右方から他のラス網Ａの縦向き縁面部Ａａを重ね合わせると共に、この下側に構成されるラス網Ａ相互の重ね合わせ縁面部に対して、互いに縦向き縁面部Ａａ相互を重ね合わせた上側のラス網Ａにおける当該重ね合わせ部分が、直角三角形面欠部Ａｙ’を備えるラス網Ａの側に縦向き縁面部Ａａの幅相当ずらせて（この上側のラス網Ａ相互の重ね合わせ部分を前記矩形面部Ａｆ’のカット跡に位置づけるように）張り込むことによって、各ラス網Ａの重ね合わせ部分の嵩張りを少なくすることができる。
【図面の簡単な説明】
【００６０】
【図１】典型的なラス網のカット状態を示す正面図
【図２】同張り込み方法を示す要部模式図
【図３】同張り込み状態を示す正面図
【図４】同他の張り込み方法を示す要部模式図
【図５】同他の張り込み状態を示す正面図
【図６】他の典型的なラス網のカット状態を示す正面図
【図７】同張り込み方法を示す要部模式図
【図８】同張り込み状態を示す正面図
【図９】同他の張り込み方法を示す要部模式図
【図１０】同他の張り込み状態を示す正面図
【図１１】他の典型的なラス網のカット状態を示す正面図
【図１２】同張り込み方法を示す要部模式図
【図１３】同張り込み状態を示す正面図
【図１４】同他の張り込み方法を示す要部模式図
【図１５】同他の張り込み状態を示す正面図
【図１６】他の典型的なラス網のカット状態を示す正面図
【図１７】同張り込み方法を示す要部模式図
【図１８】同張り込み状態を示す正面図
【図１９】他の典型的なラス網のカット状態を示す正面図
【図２０】同張り込み方法を示す要部模式図
【図２１】同張り込み状態を示す正面図
【図２２】他の典型的なラス網のカット状態を示す正面図
【図２３】同張り込み方法を示す要部模式図
【図２４】同張り込み状態を示す正面図
【図２５】他の典型的なラス網のカット状態を示す正面図
【図２６】同張り込み方法を示す要部模式図
【図２７】同張り込み状態を示す正面図
【図２８】他の典型的なラス網のカット状態を示す正面図
【図２９】同張り込み方法を示す要部模式図
【図３０】同張り込み状態を示す正面図
【符号の説明】
【００６１】
Ａ  ラス網
Ａａ  縦向き縁面部
Ａｂ  横向き縁面部
Ａｃ  矩形交差面部
【図１】
2007182677.tif 000003
【図２】
2007182677.tif 000004
【図３】
2007182677.tif 000005
【図４】
2007182677.tif 000006
【図５】
2007182677.tif 000007
【図６】
2007182677.tif 000008
【図７】
2007182677.tif 000009
【図８】
2007182677.tif 000010
【図９】
2007182677.tif 000011
【図１０】
2007182677.tif 000012
【図１１】
2007182677.tif 000013
【図１２】
2007182677.tif 000014
【図１３】
2007182677.tif 000015
【図１４】
2007182677.tif 000016
【図１５】
2007182677.tif 000017
【図１６】
2007182677.tif 000018
【図１７】
2007182677.tif 000019
【図１８】
2007182677.tif 000020
【図１９】
2007182677.tif 000021
【図２０】
2007182677.tif 000022
【図２１】
2007182677.tif 000023
【図２２】
2007182677.tif 000024
【図２３】
2007182677.tif 000025
【図２４】
2007182677.tif 000026
【図２５】
2007182677.tif 000027
【図２６】
2007182677.tif 000028
【図２７】
2007182677.tif 000029
【図２８】
2007182677.tif 000030
【図２９】
2007182677.tif 000031
【図３０】
2007182677.tif 000032